(57)【要約】【課題】本発明は、使用者身体の凝りの発生箇所の周辺を一度に解決させる機能を提供させる。【解決手段】本体（１）にマジックテープＲ（商標登録）（２）を具備させ、振動器（４）にもマジックテープＦ（商標登録）（３）を貼着させ、本体（１）に電源（５）を有し、スイッチ（６）に配線（７）保持させて振動器（４）に接続させ、吊り具（８）に吊りベルト（９）を具備させた特徴を有した多機能マッサージ器【選択図】図１
2016174883.tif 000002
【特許請求の範囲】
【請求項１】
本体（１）はマジックテープＲ（商標登録）（２）を具備させ、振動具（４）にマジックテープＦ（商標登録）（３）を有し、本体（１）電源（５）を保持、配線（７）にスイッチ（６）を有し本体（１）に吊りフック（８）を具備、吊りバンド（９）を保持させた事を特徴とした多機能マッサージ器
【請求項２】
本体（１）に吸着具（２）を有し支持穴（１−１）に保持具（３）にて本体（１）に保持され本体（１）に振動具（４）固着され電源（５）を保持し本体（１）にスイッチ（６）を具備しウエイト（７）を有した事を特徴とした多機能マッサージ器
【発明の詳細な説明】
【技術分野】
【０００１】マッサージ器を、多用途の機能を付加させる目的としたマッサージ器を提供する。
本発明は、体の凝りはそれぞれに分散され、用途応じてマッサージ器を（例えば首痛などは肩凝りが影響している）使用し首痛が終えれば次は肩凝りとマッサージ器を移動させていた。
本発明は、使用者の身体のコリの周辺の治療箇所が一度に実施され、シンプルな構成なので携帯が可能で何処でも、いつでも、使用がされる。
【背景技術】
【０００２】マッサージ器として種々発明され市販されているが（例えば、特許文献１、特許文献２、を参照）特許文献１に記載されている湯船の中では足の裏を押し当てる反復作用が高齢者などは足が届かないし、湯船の中で、治療器を足で探すなどと入浴時の湯船の中でしか利用が出来ない。
文献２の背負い式マッサージ器は、背中での目的なので、使用中に来客があれば器具が大きいので、急いで外さねば来客などの対応はされない。
【先行技術文献】
【０００３】
【特許文献１】  特開２００４−２８３５６５号公報
【特許文献２】  特開２０１２−１５８号公報
【発明の概要】
【発明が解決しようとする課題】
【０００４】特許文献１  記載された脚の裏マッサージ器は湯船の中では足が届かない事や、湯船の中でしか利用が出来ないし、室内にてはマッサージ器と足の反力が必要な場所を要する。
特許文献２  背負い式マッサージ器は本体の構成が大きく携帯に不便だし、使用中に来客があれば急いで器具を外さねば成らない、背中専用でもある。
上述の欠点を解決する為に、本発明の多機能マッサージ器は多用途に利用され体の凝りを解決を目的とする。
【課題を解決するための手段】
【０００５】解決する為の手段として、請求項別に構成を説明する
［請求項１］
本体（１）にマジックテープＲ（商標登録）（２）を具備させ、（振動具（４）にもマジックテープＦ（３）（商標登録）を貼着せさ、本体（１）に電源（５）を有し、スイッチ（６）に配線（７）を保持させ吊具（８）に吊りバンド（９）を具備させた事を特徴とした多機能マッサージ器
［請求項２］
本体（１）に吸着具（２）は支持穴（１−１）の保持具（３）にて支持され、本体（１）に振動具（４）を具備し電源（５）はスイッチ（６）を有しウエイト（７）を保持してことを特徴とした、多機能マッサージ器【０００６】上述の構成であり、次の手段として請求項別に説明する。
［請求項１］
図−１にて説明すると、本体（１）には、マジックテープＲ（商標登録）（２）を全面に貼着し振動具（４）にも、マジックテープＦ（商標登録）を貼着させて、本体（１）の電源（５）はスイッチ（６）を介して配線（７）は振動具（４）に接続され、本体（１）吊り具（８）には吊りバンド（９）を具備させ、吊りバンド（９）は反転（９−１）もする機能を有する。
使用に際し、背中の首や肩、腰などツボの位置に振動具（４）を移動させ、本体（１）のマジックテープＲ（商標登録）に振動具（４）が具備するマジックテーペＦ（商標登録）を系着させ、スイッチ（６）ＯＮさせれば、振動具（４）は作動す、振動具（４）を複数具備させた構成で、肩や、首の凝りは同時に解決され、使用者の体格に合わせて振動具（４）をツボの位置に移動させる。
［請求項２］
図−３にて説明すると、本体（１）の支持穴（１−１）に、吸着具（２）は保持具（３）にて支持され、振動具（４）は本体（１）に固着され、電源（５）はスイッチ（６）を介して振動具（４）に接続され、ウエイト（７）は本体（１）に保持され作動時の安定を保つ作用をする。
使用に際しては、単体にても可能で有るが、図−４にて説明すると、複数組み合わせて使用すると、振動具（４）の開閉幅（８）にて首や肩、腰などのツボの位置に移動が可能である。
【発明の効果】
【０００５】現在、市販及び公開されている簡易マッサージ器は一箇所のツボを対象にしており本発明は多機能的な要素を有しておる。
▲１▼柔軟な部材使用すれば体の凝りの箇所に密着し、使用時の不快感は解消され快適である。
▲２▼首の凝りと肩の凝りや、背中と腰の凝りが同時に対処できる。
▲３▼吊りバンドで、背負いにて使用中に来客が有れば上着を羽織れば容易に対応される。
▲４▼椅子などの背当てに、吊りバンドを系着させれば椅子に座り使用がされる。
▲５▼吊りバンドを本体に固定させ、防水ケースに収納させ、入浴中の湯船内の使用が可能で有る。
▲６▼シンプルな構成のために携帯も可能で有り、職場などの持込され、体息時に利用がされる。
▲７▼電源に乾電池が使用のために湯船内での感電事故は発生せず、安全である。
▲８▼湯船内での、利用はお湯の表面波打ち現象が発生し身体には相乗効果がある。
【図面の簡単な説明】
【０００７】
【図−１】  ［請求項１］の本発明の側面断面図
【図−２】  ［請求項１］本発明の平面図
【図−３】  ［請求項２］本発明の側面断面図
【図−４】  ［請求項２］本発明の組み合わせ平面図
【発明を実施するための最良の形態】
【０００８】［請求項１］
本発明を実施するための形態について説明する。
図−１にて説明すると、本体（１）に、マジックテープＲ（商標登録）を全面に貼着し振動具（４）にも、マジックテープＦ（商標登録）（３）を貼着させ本体（１）に電源（５）を有し、スイッチ（６）を、配線（７）を介して振動具（４）に」接続され、本体（１）の吊り具（８）は吊りバンド（９）を具備させる以上の構成である。
これを使用する時は、使用者のツボの位置を振動具（４）を移動させて位置合わせは、本体（１）のマジックテープＲ（商標登録）（２）に振動具（４）の、マジックテープＦ（商標登録）（３）に系着させ、家事作業や屋外では背負い式（９）で、屋内では椅子などでは吊りバンド（９）を反転させ（９−１）椅子の背当てに多機能マッサージ器を系着させて利用する。
人間のツボは全身に２０００以上あり、身近な症状のツボ位置の周辺に作用すれば効果が有るし、多機能マッサージ器を防水ケースに収納すれば入浴時に湯船の中でも使用され、湯船の中での使用は、湯の温度で身体がほぐれ、凝りのツボの刺激と同時に湯面が波打ち、お湯の波打ち現象は使用者の身体全体に作用しての相乗の効果が期待される。
［請求項２］
本発明の実施するための形態について説明する。
図−３にて説明すると、本体（１）の支持穴（１−１）に吸着具（２）は保持具（３）にて保持され、振動具（４）は本体（１）に固着され、」でんげん（５）はスイッチ（６）を介して振動具（４）接続され、ウエイト（７）は本体（１）に保持された構成である。
これを使用する時は、単体でも可能であるが、図−４の如く複数組み合わせると効果が有る使用者の凝りのツボに合わせて本体（１）を開閉幅（８）で振動具（４）位置を調整する。
首や肩凝り、背中や腰残りなどとマッサージ器本体を移動させる。
吸着具（２）はガラスやプラ壁には固着するが、吸着面が無い場合はリング等で衣類の衣文賭けなどに掛けられる。
脚や足首などは、床などに静置させて使用がされる。
【符号の説明】
【０００９】［請求項１］（図−１）（図−２）
１−本体  １−１−支持穴  ２−マジックテープＲ（ループ）  ３−マジックテープＦ（フック）  ４−振動具  ５−電源  ６−スイッチ  ７−配線  ８−吊り具  ９−吊りバンド
［請求項２］（図−３）（図−４）
１−本体  ２−支持穴  ３−保持具  ４−振動具  ５−電源  ６−スイッチ  ７−ウエイト  ８−開閉幅
【図１】
2016174883.tif 000003
【図２】
2016174883.tif 000004
【図３】
2016174883.tif 000005
【図４】
2016174883.tif 000006